(57)【特許請求の範囲】
【請求項１】
媒塵含有気体の流路内に電気集塵機が配置された煤塵を除去する装置において、前記電気集塵機の上流に上流側から順に冷却液体を噴霧する液体噴霧手段とミスト除去手段とを配置し、前記ミスト除去手段は通常は前記流路の壁面内に収納されていて、火災時に駆動手段により前記電気集塵機の上流側を覆うように移動可能であることを特徴とする煤塵を除去する装置。
【請求項２】
前記液体噴霧手段の上流にイオン発生手段を配置したことを特徴とする請求項１記載の煤塵を除去する装置。
【請求項３】
前記イオン発生手段は移動可能であることを特徴とする請求項２記載の煤塵を除去する装置。
【発明の詳細な説明】
【０００１】
【発明の属する技術分野】
本発明は、媒塵含有気体の流路、例えばトンネル内の空気中に浮遊する微細な固形或いは液状の微粒物質を除去して空気を浄化するための煤塵を除去する装置に関する。
【０００２】
【従来の技術】
従来の煤塵を除去する装置を図５に基づいて説明する。トンネル本道１の途中に設けられたバイパストンネル２内に、空気流れ方向の上流側から順に電気集塵機５、補機室８、電気室７、送風機３が配置されている。電気集塵機５が設置されているバイパストンネル２においては、遮蔽板１０が設けられ、空気が電気集塵機５をバイパスして流れるのを防いでいる。
【０００３】
送風機３を運転して、自動車から排出されるディーゼルスートを含む媒塵が浮遊しているトンネル本道１内の空気を空気流入口４からバイパストンネル２内に取り込み、電気集塵機５で媒塵を除去して浄化した空気をトンネル本道１の天井部分に設けられた送気口６からトンネル本道１内に戻している。
【０００４】
【発明が解決しようとする課題】
本装置は通常時の運転では問題はないが、トンネル内で火災が発生した時に本装置の運転を継続した場合、高温の空気が電気集塵機５内を通過するので、電気集塵機５の電極が熱変形を起こして損傷する恐れや、送風機３が過熱損傷を起こすといった問題点があった。
【０００５】
【課題を解決するための手段】
本発明は上記問題点を解決することを目的になされたものであり、次の煤塵を除去する装置を提供している。
（１）媒塵含有気体の流路内に電気集塵機が配置された煤塵を除去する装置において、前記電気集塵機の上流に上流側から順に冷却液体を噴霧する液体噴霧手段とミスト除去手段とを配置し、前記ミスト除去手段は通常は前記流路の壁面内に収納されていて、火災時に駆動手段により前記電気集塵機の上流側を覆うように移動可能であることを特徴とする煤塵を除去する装置。
【０００６】
（２）前記液体噴霧手段の上流にイオン発生手段を配置したことを特徴とする前記（１）記載の煤塵を除去する装置。
【０００７】
（３）前記イオン発生手段は移動可能であることを特徴とする前記（２）記載の煤塵を除去する装置。
【０００９】
【発明の実施の形態】
第１の実施例を図１に基づいて説明する。
トンネル本道１の途中に設けられたバイパストンネル２内に、空気流れ方向の上流側から順に電気集塵機５、補機室８、電気室７、送風機３が配置されている。電気集塵機５の上流側には、液体噴霧手段１１が設置され、液体噴霧手段１１と電気集塵機５との間にミストエリミネータ等のミスト除去手段１２が配置されている。
【００１０】
ミスト除去手段１２は、通常はバイパストンネル２の壁面内に収納されていて、火災時に駆動手段１３により、例えばレール上を移動して電気集塵機５の上流側を覆うように構成されている。
【００１１】
液体噴霧手段１１は、補機室８或いはその他の場所に設置された図示省略の水等の冷却液体タンクと配管で連通しており、配管の途中には冷却液体の流通を遮断する自動弁１６が設けられている。
【００１２】
トンネル本道１内で火災が発生した場合、火災検知器１４により火災を検知し、火災発生信号が制御ユニット１５に入力される。制御ユニット１５からは、火災発生信号に基づいて自動弁１６を開にする「開」信号と、駆動手段１３にミスト除去手段１２を移動させるための移動信号とが出力される。「開」信号を受けた自動弁１６は開となって冷却液体を液体噴霧手段１１に送る。一方、移動信号を受けた駆動手段１３は、電気集塵機５の上流側を覆うようにミスト除去手段１２を移動させる。
【００１３】
液体噴霧手段１１に送られた冷却液体は、液体噴霧手段１１から媒塵を含む高温空気中に噴霧される。高温空気中に噴霧された冷却液体は、空気の温度を低下させ、ミスト除去手段１２で捕捉される。
【００１４】
温度が低下し、ミスト除去手段１２で冷却液体が除去された空気は、電気集塵機５に入って空気中の媒塵が除去されると共に火災の煙も除去される。
【００１５】
本例では、液体噴霧手段１１から媒塵を含む高温空気中に冷却液体を噴霧することで空気の温度を低下させるので、電気集塵機５の電極板の過熱損傷、送風機３の過熱損傷を防止することができる。また、電気集塵機５に流入する前にミスト除去手段１２で噴霧ミストを除去するので、ミストが電気集塵機５に入って火花が発生するのを防ぎ、電気集塵機５の集塵効率の低下を防ぐことができる。さらには、ミスト除去手段１２は普段はバイパストンネル２の壁面に収納されているので、バイパストンネル２内での圧力損失の発生を防止することができる。
【００１６】
なお、バイパストンネル２は間に隔壁を設けて複数通路としても、隔壁を設けずに１通路としてもどちらでもよい。
【００１７】
さらに、本例では火災検知器１４からの信号を自動弁１６と駆動手段１３とに入力するものであるが、火災検知器１４からの信号にかえて、図示省略の中央制御室からの火災信号を入力するものであってもよい。
【００１８】
次に、本発明を第３図に示す第２の実施例に基づいて説明する。
第２の実施例では、液体噴霧手段１１とミスト除去手段１２とを配管１９で連通させ、配管の途中にポンプ２０を設けて、ミスト除去手段１２で回収した冷却液体を液体噴霧手段１１に供給するようにしたものである。その他の構成は、第１の実施例と同じであるので、詳細な説明は省略する。
【００１９】
本例では、第１の実施例の作用・効果を奏すると共に、さらに、ミスト除去手段１２で回収した冷却液体を液体噴霧手段１１に供給するようにしたことにより、より少ない冷却液体で火災時の空気の温度低下と浄化が可能になる。
【００２０】
さらに、本発明を第４図に示す第３の実施例に基づいて説明する。
第３の実施例では、液体噴霧手段１１の上流に、高電圧発生器１８を具えたイオン発生手段１７を配置して、制御ユニット１５から火災信号を受けて高電圧発生器１８からイオン発生手段１７に電圧を印加させるものであり、その他の構成は、第１の実施例と同じであるので、詳細な説明は省略する。
【００２１】
火災時、イオン発生手段１７により煙の粒子を、例えばマイナスの高電圧を用いた場合には、マイナスイオンに帯電させ、冷却液体の噴霧ミストに捕捉されやすくして、電気集塵機５の上流で煙粒子の一部をミストと共に除去することで、消煙の効率をさらに上げたものである。その他の作用・効果は第１の実施例とおなじである。
【００２２】
なお、一例としてイオン発生手段１７によりマイナスイオンに帯電させる説明をしたが、必ずしもマイナスイオンに限ることではなく、ミストの帯電によってはプラスイオンとしてもよく、また、イオン発生手段１７は、ミスト除去手段１２と同様に、圧力損失の発生を防ぐために普段はバイパストンネル２の壁面に収納され、火災時に液体噴霧手段１１の上流側に移動して出てくるようにしたものでもよい。
【００２３】
【発明の効果】
本発明は、媒塵含有気体の流路内に電気集塵機が配置された煤塵を除去する装置において、電気集塵機の上流に上流側から順に冷却液体を噴霧する液体噴霧手段とミスト除去手段とを配置して、媒塵含有気体が高温となったときに、液体噴霧手段から媒塵含有気体中に冷却液体を噴霧することで媒塵含有気体の温度を低下させるので、電気集塵機の電極板の過熱損傷を防止することができる。また、電気集塵機に流入する前にミスト除去手段で噴霧ミストを除去するので、ミストが電気集塵機に入って火花が発生するのを防ぐため、電気集塵機の集塵効率の低下を防ぐことができる。
さらにミスト除去手段を通常は前記流路の壁面内に収納されていて、火災時に駆動手段により前記電気集塵機の上流側を覆うように移動可能としたので圧力損失の発生を防止できる。
【００２４】
さらには、本発明は、イオン発生手段を設けたことにより、媒塵含有気体中の粒子にイオンを帯電させることができ、液体の噴霧ミストに捕捉されやすくして、電気集塵機の上流で粒子の一部をミストと共に除去することで、除塵効率をさらに上げることができる。
【００２５】
さらにまた、イオン発生手段は移動可能としたことにより、ミスト除去手段の場合と同様に圧力損失の発生を抑えることができる。
【図面の簡単な説明】
【図１】本発明の第１の実施例を示す図である。
【図２】図１中のバイパストンネル２の上流側側面図である。
【図３】本発明の第２の実施例におけるバイパストンネル２の上流側側面図である。
【図４】本発明の第３の実施例におけるバイパストンネル２の上流側側面図である。
【図５】  従来の煤塵を除去する装置を示す図である。
【符号の説明】
１  トンネル本道
２  バイパストンネル
３  送風機
４  空気流入口
５  電気集塵機
６  送気口
７  電気室
８  補機室
１０  遮蔽板
１１  液体噴霧手段
１２  ミスト除去手段
１３  駆動手段
１４  火災検知器
１５  制御ユニット
１６  自動弁
１７  イオン発生手段
１８  高電圧発生器
１９  配管
２０  ポンプ
【図１】
0003848802.tif 000002
【図２】
0003848802.tif 000003
【図３】
0003848802.tif 000004
【図４】
0003848802.tif 000005
【図５】
0003848802.tif 000006